(57)【特許請求の範囲】
【請求項１】
水平断面円形の流動層乾燥機の乾燥室の攪拌ロッドより放射状にスクレーパを設け、攪拌ロッドの回転とともに、該スクレーパが目皿板に付着した樹脂を掻き落とし、加えて、乾燥室内の攪拌ロッドに任意の高さの間隔を有し放射状に伸び、その先端より乾燥室の内壁にエアーを噴出す噴出し翼を有し、前記噴出し翼が高さ方向に順次放射方向角度が異なることを特徴とする流動層乾燥機。
【請求項２】
上記請求項１記載の流動層乾燥機において、上記それぞれの噴出し翼は、異なる高さで、順次放射方向角度が４５度ずつ異なるように配置されていることを特徴とする流動層乾燥機。
【請求項３】
上記請求項１又は請求項２に記載の流動層乾燥機１において、噴出し翼のエアーの噴出し方向と、攪拌ロッドのロッド軸から噴出し翼の延長線とで形成される噴出し方向角α１が噴出し翼の延長線に対し、０度より大きく、９０度より小さいことを特徴とする流動層乾燥機。
【請求項４】
上記請求項１乃至請求項３に記載の流動層乾燥機において、乾燥室の壁面より内部方向にエアーの噴出口を有することを特徴とする流動層乾燥機。
【発明の詳細な説明】
【０００１】
【発明の属する技術分野】
本発明は、粉粒体の予熱、乾燥、焼成などを行う流動層乾燥機に関するものである。
【０００２】
【従来の技術】
従来の流動層乾燥機は、断面円形または矩形の流動層を形成し、粉粒体を回分式に供給し、乾燥後排出するバッチ式の流動層乾燥機が知られている。
【０００３】
この流動層乾燥機は、湿原料を乾燥室内に供給した後流動乾燥するために攪拌翼で攪拌するが、湿原料が流動しにくいため、目皿板に付着したり、乾燥室の内壁面に付着したりすることがしばしば発生していた。このように原料の付着が発生すると、流動性が低下して乾燥効率の低下や塊状物を形成するなど不具合が生じていた。
【０００４】
【発明が解決しようとする課題】
本発明は上記の問題に鑑みてなされたものであり、流動性が良く、また凝集性の粉粒体が塊状に凝集しないで、効率良く湿原料を乾燥することができる流動層乾燥機を提供することを目的とするものである。
【０００５】
【課題を解決するための手段】
本発明の請求項１に記載の流動層乾燥機は、水平断面円形の流動層乾燥機の乾燥室の攪拌ロッドより放射状にスクレーパを設け、攪拌ロッドの回転とともに、該スクレーパが目皿板に付着した樹脂を掻き落とし、加えて、乾燥室内の攪拌ロッドに任意の高さの間隔を有し放射状に伸び、その先端より乾燥室の内壁にエアーを噴出す噴出し翼を有し、前記噴出し翼が高さ方向に順次放射方向角度が異なることを特徴とする。
【０００６】
本発明の請求項２に記載の流動層乾燥機は、上記請求項１の流動層乾燥機１において、上記それぞれの噴出し翼は、異なる高さで、順次放射方向角度が４５度ずつ異なるように配置されていることを特徴とする。
【０００８】
上記請求項１又は請求項２に記載の流動層乾燥機１において、噴出し翼のエアーの噴出し方向と、攪拌ロッドのロッド軸から噴出し翼の延長線とで形成される噴出し方向角α１が噴出し翼の延長線に対し、０度より大きく、９０度より小さいことを特徴とする。
【０００９】本発明の請求項４に記載の流動層乾燥機は、上記請求項１乃至請求項３に記載の流動層乾燥機１において、乾燥室２の壁面より内部方向にエアーの噴出口７を有することを特徴とする。
【００１２】
【発明の実施の形態】
以下、本発明の流動層乾燥機を一実施形態を示す図面に基づいて具体的に説明する。
【００１３】
図１（ａ）、図１（ｂ）は、それぞれ本発明に係る流動層乾燥機の一実施形態を示す図であり、図１（ａ）は流動層乾燥機の乾燥室を破断した側面図であり、図１（ｂ）は図１（ａ）の乾燥室を上面より見た上面図である。図２は本発明の流動層乾燥機の側面図である。
【００１４】
本発明の一実施形態の流動層乾燥機は、図２に示す如く従来のバッチ式の流動層乾燥機と同様の外観を有している。下部に熱風を発生している熱風室を有し、上部に湿原料を乾燥させる乾燥室２を有している。
【００１５】
図１（ａ）、図１（ｂ）は上記図２で示された流動層乾燥機１のＡで囲まれた乾燥室２の詳細を示すものである。該乾燥室２は、水平断面が円形の形状を有し、その中心に攪拌ロッド４が設置され乾燥室２内を攪拌することができる。この攪拌ロッド４の乾燥室２内の先端には、ロッド軸を中心として放射状にスクレーパ８が設けられている。このスクレーパ８は、外観方形の板体で、目皿板９に対して鋭角に配置され、攪拌ロッド４の回転とともに目皿板９の表面に付着した樹脂を掻き落とすことができるものである。このスクレーパ８と目皿板９とのクリアランスは、０．１ｍｍ〜５０ｍｍが好ましく、湿原料の材質や粘度により調整することができる。
【００１６】
また、上記スクレーパ８には、表裏の面を貫通する複数の貫通穴が形成されている。この貫通穴は、スクレーパ８の表面に対流を発生させ、表面に付着する樹脂を軽減することができるものである。この貫通穴の表面積の和は、スクレーパ８の表面積よりも小さく、その表面積の１０分の１以上が好ましい。小さくは内径円状の穴やメッシュの穴などが使用することができる。
【００１７】
上記スクレーパ８の回転速度は、２０ｐｐｍで回転しているが、湿原料の状態によりその回転速度は変動し、１０ｐｐｍ〜１００ｐｐｍでコントロールするのが好ましい。
【００１８】
さらに、本発明の流動層乾燥機は、上記乾燥室２内の攪拌ロッド４に、ロッド軸を中心として放射状に噴出し翼５が複数設けられている。この噴出し翼５は、中空の攪拌ロッド４を介して、先端にエアーを噴出す噴出孔６を有するロッドで、乾燥室２の内壁に噴出孔６より噴出されたエアーを噴きつけることができる。また、この噴出孔６は、その開口部分の直径を変えることにより噴出すエアーの圧力を変更することができ、風速が一定になるように本発明発明の実施例では、上側の噴出孔６より直径が４ｍｍ、５ｍｍ、６ｍｍ、７ｍｍ、８ｍｍとなっている。
【００１９】
上記噴出し翼５のエアーの噴出し方向と、攪拌ロッド４のロッド軸から噴出し翼５の延長線とで形成されるα１は、４５度で、その先端から噴出されたエアーにより容易に乾燥室２の内壁面３に付着しようとする湿原料を吹き飛ばすことができる。このエアーの噴出し方向角α１は、攪拌ロッド４の回転とともに、内壁面３にエアーが噴きつけることができるよう、０度より大きく、９０度より小さいことが好ましい。０度からマイナス角になると、回転方向と逆に噴きつけることとなり、さらに９０度より大きくなると内壁面３にエアーが当接しなくなる。
【００２０】
上記噴出し翼５のエアーの噴出し方向角、攪拌ロッド４のロッド軸から噴出し翼５の延長線に対して形成されるα１は、４５度で、その先端から噴出されたエアーにより容易に乾燥室２の内壁面３に付着しようとする湿原料を吹き飛ばすことができる。このエアーの噴出し方向角α１は、攪拌ロッド４の回転とともに、内壁面３にエアーが噴きつけることができるよう、０度より大きく、９０度より小さいことが好ましい。０度からマイナス角になると、回転方向と逆に噴きつけることとなり、さらに９０度より大きくなると内壁面３にエアーが当接しなくなる。
【００２１】
また、本発明の流動層乾燥機には、乾燥室２の上部の壁面３に内部方向に向かってエアーを噴きつけることができる噴出口７を有する。この噴出口７は、乾燥室２本体の上部にうず流を発生し、内壁面３に付着する樹脂を吹き飛ばすものである。したがって、噴出す噴出し方向角α３は、乾燥室２の壁面３に形成される接線に対し、０度より大きく、９０度より小さい角度で、攪拌ロッド４の回転方向と同方向であることが好ましい。０度ならばロッド軸の中心方向にエアーの流れが発生せず、また９０度以上であると攪拌ロッド４の回転方向に相対するエアーを噴きつけることとなる。さらに、噴出口７の攪拌ロッド４の延長線に対して形成される噴出し方向角α２は、６０度で傾斜を有する乾燥室２の内壁面３に沿ってエアーが噴きつけることができるようになっている。この方向角α２は、４５度〜１３５度の範囲であることが好ましく、攪拌ロッド４で形成されたうず流を助成する角度で配置されている。  上記流動層乾燥機１を使用すると、攪拌ロッド４で発生した気流と、噴出し翼５の噴出孔６で噴出されるエアー、さらには、乾燥室２の上部に配された噴出口７より噴出されるエアーにより、乾燥室２内に一定のうず流が発生し、投入された湿原料が安定して気流にのって乾燥することができる。さらに、目皿板９の表面を掻き落とすスクレーパ８を有しているので、目皿板９に付着する湿原料を掻き上げることができる。その結果、従来、１バッチｋｇの乾燥を行って発生していた材料不良が１００ｐｐｍから１０ｐｐｍに減少した。
【００２２】
【発明の効果】
上述したように、本発明に係る流動層乾燥機は、水平断面円形の流動層乾燥機の乾燥室の攪拌ロッドに噴出し翼、さらには、乾燥室の上部に噴出口を有しているので、攪拌ロッドで発生した気流と、噴出し翼の噴出孔で噴出されるエアー、さらには、乾燥室の上部に配された噴出口より噴出されるエアーにより、乾燥室内に一定のうず流が発生し、投入された湿原料が安定して気流にのって乾燥することができる。さらに、攪拌ロッドにスクレーパを有しているので、攪拌ロッドの回転とともに目皿板の表面を掻き落とし、目皿板に付着する湿原料を掻き上げることができる。このように乾燥室内に空気のうず流を起こし、堆積する湿原料を掻き上げるので、効率よく乾燥することができ、塊状の凝集物の発生を抑制することができる。
【図面の簡単な説明】
【図１】（ａ）本発明の一実施形態を示す流動層乾燥機の乾燥室を破断した側面図である。  （ｂ）図１（ａ）の乾燥室を上面より見た上面図である。
【図２】本発明の一実施形態を示す流動層乾燥機の側面図である。
【符号の説明】
１      流動層乾燥機
２      乾燥室
３      内壁面
４      攪拌ロッド
５      噴出し翼
６      噴出孔
７      噴出口
８      スクレーパ
９      目皿板
【図１】
0003551724.tif 000002
【図２】
0003551724.tif 000003